(57)【要約】【課題】観光客等の滞在日数を容易に且つ精度よく推定することができる滞在日数推定装置及び滞在日数推定方法を提供する。【解決手段】エリア設定部１２２にて設定されたエリアにおける位置情報からそのエリアを日常圏とする移動通信端末２以外の位置情報を取得し、対象となる移動通信端末２のエリア内における移動速度を移動速度算出部１２４が算出する。そして、移動速度が閾値（所定速度）Ｔ１以下である時間を時間計測部１２５によって計測し、その時間が閾値（所定時間）Ｔ２以上である場合に、設定されたエリアにおいて移動通信端末２のユーザが滞在していると推定して滞在日数を滞在日数推定部１２６が推定するこのように、近年多くの人が所有する移動通信端末２の位置情報を取得することにより、宿泊施設等へのアンケートを実施することなく、観光客等の滞在日数を容易に且つ精度よく推定することができる。【選択図】図１
2012043011.tif 000002
【特許請求の範囲】
【請求項１】
移動通信端末のユーザの滞在日数を求める領域を設定する領域設定手段と、
前記領域設定手段によって設定された領域における前記移動通信端末の位置情報を取得する位置情報取得手段と、
前記位置情報取得手段によって取得された位置情報に基づいて、前記移動通信端末の前記領域内での移動速度を算出する移動速度算出手段と、
前記移動速度算出手段によって算出された前記移動速度が所定速度以下である場合に、前記所定速度以下となった時間を計測する時間計測手段と、
前記時間計測手段によって計測された前記時間が所定時間以上である場合に、前記移動通信端末のユーザが前記領域に滞在していると推定し、前記領域における滞在日数を推定する滞在日数推定手段と、
を備えることを特徴とする滞在日数推定装置。
【請求項２】
前記位置情報取得手段は、前記領域設定手段によって設定された領域に日常的に所定時間以上滞在する移動通信端以外の位置情報を取得することを特徴とする請求項１記載の滞在日数推定装置。
【請求項３】
前記位置情報取得手段は、所定期間の位置情報を取得し、当該位置情報において前記領域に昼間又は夜間に所定時間以上滞在する移動通信端末以外の位置情報を取得することを特徴とする請求項２記載の滞在日数推定装置。
【請求項４】
前記位置情報取得手段は、前記領域設定手段によって設定された領域において発生した移動通信端末の位置登録に関するポイントデータを取得することを特徴とする請求項１〜３のいずれか一項記載の滞在日数推定装置。
【請求項５】
移動通信端末のユーザの滞在日数を求める領域を設定する領域設定ステップと、
前記領域設定ステップにおいて設定された領域における前記移動通信端末の位置情報を取得する位置情報取得ステップと、
前記位置情報取得ステップにおいて取得された位置情報に基づいて、前記移動通信端末の前記領域内での移動速度を算出する移動速度算出ステップと、
前記移動速度算出ステップにおいて算出された前記移動速度が所定速度以下である場合に、前記所定速度以下となった時間を計測する時間計測ステップと、
前記時間計測ステップにおいて計測された前記時間が所定時間以上である場合に、前記移動通信端末のユーザが前記領域に滞在していると推定し、前記領域における滞在日数を推定する滞在日数推定ステップと、
を含むことを特徴とする滞在日数推定方法。
【発明の詳細な説明】
【技術分野】
【０００１】
本発明は、滞在日数推定装置及び滞在日数推定方法に関する。
【背景技術】
【０００２】
従来から、携帯端末の位置情報を取得して、その位置情報をもとに携帯端末を有するユーザの所定の位置における滞在時間を推定する装置が知られている（例えば、特許文献１，２参照）。
【先行技術文献】
【特許文献】
【０００３】
【特許文献１】特開２００９−９８２０５号公報
【特許文献２】特開２０１０−４１４６９号公報
【発明の概要】
【発明が解決しようとする課題】
【０００４】
ところで、観光地等における観光客の宿泊状況を把握するためには、従来、観光地の宿泊施設等にアンケートを実施するといった手法がとられてきた。しかしながら、観光地毎に各宿泊施設にアンケートを実施するためには非常に手間がかかり、観光客の滞在日数を容易に推定することが困難であった。
【０００５】
本発明は、上記課題を解決するためになされたものであり、観光客等の滞在日数を容易に且つ精度よく推定することができる滞在日数推定装置及び滞在日数推定方法を提供することを目的とする。
【課題を解決するための手段】
【０００６】
上記課題を解決するために、本発明に係る滞在日数推定装置は、移動通信端末のユーザの滞在日数を求める領域を設定する領域設定手段と、領域設定手段によって設定された領域における移動通信端末の位置情報を取得する位置情報取得手段と、位置情報取得手段によって取得された位置情報に基づいて、移動通信端末の領域内での移動速度を算出する移動速度算出手段と、移動速度算出手段によって算出された移動速度が所定速度以下である場合に、所定速度以下となった時間を計測する時間計測手段と、時間計測手段によって計測された時間が所定時間以上である場合に、移動通信端末のユーザが領域に滞在していると推定し、領域における滞在日数を推定する滞在日数推定手段と、を備えることを特徴とする。
【０００７】
或いは、本発明の滞在日数推定方法は、移動通信端末のユーザの滞在日数を求める領域を設定する領域設定ステップと、領域設定ステップにおいて設定された領域における移動通信端末の位置情報を取得する位置情報取得ステップと、位置情報取得ステップにおいて取得された位置情報に基づいて、移動通信端末の領域内での移動速度を算出する移動速度算出ステップと、移動速度算出ステップにおいて算出された移動速度が所定速度以下である場合に、所定速度以下となった時間を計測する時間計測ステップと、時間計測ステップにおいて計測された時間が所定時間以上である場合に、移動通信端末のユーザが領域に滞在していると推定し、領域における滞在日数を推定する滞在日数推定ステップと、を含むことを特徴とする。
【０００８】
この滞在日数推定装置及び滞在日数推定方法では、設定された領域における移動通信端末の位置情報を取得し、対象となる移動通信端末の領域内における移動速度を算出する。そして、移動速度が所定速度以下である時間を計測し、その時間が所定時間以上である場合に、設定された領域において移動通信端末のユーザが滞在していると推定して滞在日数を推定する。このように、移動速度を計測し、所定速度以下である場合の時間を計測することで移動通信端末の設定された領域における滞在時間（状態）を把握でき、その時間から滞在日数を推定するため、滞在日数を精度よく推定することができる。このように、近年多くの人が所有する移動通信端末の位置情報を取得することにより、宿泊施設等へのアンケートを実施することなく、観光客等の滞在日数を容易に且つ精度よく推定することができる。
【０００９】
位置情報取得手段は、領域設定手段によって設定された領域に日常的に所定時間以上滞在する移動通信端以外の位置情報を取得することが好ましい。この場合には、設定された領域が観光地である場合に、その領域に居住する人、或いは職場がある人の位置情報が除外されるため、観光地に訪れた観光客の滞在日数を推定することができる。これにより、観光地の滞在日数による経済効果への影響等の検討が可能となる。
【００１０】
位置情報取得手段は、領域に昼間又は夜間に所定時間以上滞在する移動通信端末以外の位置情報を取得することが好ましい。この場合には、設定された領域が観光地である場合に、昼間、夜間の時間帯に多く位置するユーザ、すなわちその領域に居住する人、或いは職場がある人の位置情報を適切に除外することができる。そのため、観光地に訪れた観光客の滞在日数を好適に推定することができる。これにより、観光地における観光客の宿泊数を網羅的に把握することができる。
【００１１】
位置情報取得手段は、領域設定手段によって設定された領域において発生した移動通信端末の位置登録に関するポイントデータを取得する。この場合には、所定の周期（例えば、５４分周期）で移動通信端末の位置情報を取得することができる。
【発明の効果】
【００１２】
本発明によれば、観光客等の滞在日数を容易に且つ精度よく推定することができる。
【図面の簡単な説明】
【００１３】
【図１】本発明の一実施形態に係る滞在日数推定装置を含む滞在日数推定システムの概略構成図である。
【図２】ポイントデータ蓄積装置で受信されるポイントデータのデータ構成を示している。
【図３】滞在日数の推定を説明する図である。
【図４】（ａ）は滞在日数格納部に格納された滞在日数の滞在日数データの構成を示す図であり、（ｂ）は滞在日数格納部に格納された統計化された滞在日数の滞在日数データの構成を示す図である。
【図５】滞在日数推定システムの動作を示すシーケンス図である。
【図６】滞在日数推定装置による滞在日数推定の動作を示すフローチャートである。
【発明を実施するための形態】
【００１４】
以下、図面とともに本発明による滞在日数推定装置及び滞在日数推定方法の好適な実施形態について詳細に説明する。なお、図面の説明においては同一要素には同一符号を付し、重複する説明を省略する。
【００１５】
図１は、本発明の一実施形態に係る滞在日数推定装置を含む滞在日数推定システムの概略構成図である。図１に示すように、本実施形態に係る滞在日数推定システム１は、複数の移動通信端末２と、無線基地局３と、情報表示装置４と、ポイントデータ蓄積装置１１と、滞在日数推定装置１２とを備えている。
【００１６】
それぞれの移動通信端末２は、携帯電話機、ＰＨＳ（Personal Handyphone System）、ＰＤＡ（PersonalDigital Assistant）等の通信機能を有する携帯端末であり、無線基地局３と移動体通信方式によって接続されることにより、無線基地局３及び移動体通信網ＮＷを介して他の移動通信端末２や移動体通信網ＮＷに接続された通信装置との間で相互にデータ通信及び音声通信を可能にされている。ポイントデータ蓄積装置１１及び滞在日数推定装置１２は、移動体通信網ＮＷに接続されてデータ通信が可能なように構成されたサーバ装置である。また、情報表示装置４は、移動体通信網ＮＷに接続され、滞在日数推定装置１２との間でデータ通信が可能なように構成された携帯端末、コンピュータ端末等の端末装置である。なお、ポイントデータ蓄積装置１１及び滞在日数推定装置１２は、それぞれ１台のサーバ装置で構成されているが、分散された複数のサーバ装置によって構成されてもよいし、逆に、複数のサーバ装置の機能が、１台のサーバ装置に集約されていてもよい。
【００１７】
上記移動通信端末２は、移動体通信網ＮＷに対して位置登録を行うために、所定の周期（例えば、５４分周期で）で無線基地局３に対して位置登録信号を送信する機能を有している。移動通信端末２によって送信された位置登録信号は、無線基地局３及び移動体通信網ＮＷを経由してポイントデータ（位置情報）に変換され、変換されたポイントデータはポイントデータ蓄積装置１１に向けて送信される。図２には、ポイントデータ蓄積装置で受信されるポイントデータのデータ構成を示している。
【００１８】
図２に示すように、ポイントデータは、例えば位置登録信号を送信した移動通信端末２のユーザを識別するための情報“ユーザＩＤ：１”と、位置登録対象のエリアを位置登録信号の受信位置によって識別する情報“セクタＩＤ：ＸＸＸＸＸ”と、位置登録の際の時刻を示す情報“位置情報取得時刻：ＹＹＹＹ／ＭＭ／ＤＤ  １１：００：００”と、位置登録信号を送信した際の座標である経度を示す情報“経度：１３５．００”と、緯度を示す情報“緯度：３５．００”とを含んで構成される。なお、座標は、移動体通信網ＮＷにて付加されるものであり、例えば無線基地局３の座標・セクタ中心座標と、伝播遅延（ＰＤ：Propagation Delay）・往復遅延時間（ＲＴＴ：Round TripTime）等に基づいて求められている。具体的には、例えば無線基地局３からデータを送信して移動通信端末２から確認応答が戻ってくるまでにかかる時間である往復遅延時間（ＲＲＴ）を求め、無線基地局３の座標と往復遅延時間に基づいて移動通信端末２の座標が求められる。
【００１９】
また、上記移動通信端末２が、ＧＰＳ（Global Positioning System）機能を有している場合には、移動通信端末２は、現在位置に関する位置情報を取得するためにＧＰＳ測位処理を実行することで、移動通信端末２の現在位置を取得する。移動通信端末２にてＧＰＳ機能により取得された情報は、無線基地局３及び移動体通信網ＮＷを経由してポイントデータに変換され、変換されたポイントデータはポイントデータ蓄積装置１１に向けて送信される。なお、ＧＰＳにて取得されるポイントデータには、ユーザＩＤ、位置情報取得時刻、緯度、経度を示す情報が含まれており、ポイントデータ蓄積装置１１では、これらの情報を格納している。位置登録により得られたポイントデータと、ＧＰＳ測位によって得られたポイントデータとの区別は、テーブルにおけるセクタＩＤの有無によって行われる。ポイントデータは、上述の位置登録によって得られた情報及びＧＰＳによって得られた情報に限定されず、座標形式の位置情報を含むものであればよい。
【００２０】
次に、図１に戻って、ポイントデータ蓄積装置１１及び滞在日数推定装置１２の構成要素について詳細に説明する。
【００２１】
ポイントデータ蓄積装置１１は、機能的な構成要素として、ポイントデータ受信部１１１と、ポイントデータ蓄積部１１２とを備えている。ポイントデータ受信部１１１は、複数の移動通信端末２によって位置登録が要求、或いはＧＰＳ測位処理が実行されるつどポイントデータを受信し、このポイントデータをポイントデータ蓄積部１１２に格納する。ポイントデータ蓄積部１１２には、図２に示されるポイントデータが格納されている。なお、図２では、位置登録により取得されたポイントデータを示している。
【００２２】
なお、ポイントデータ蓄積装置１１のポイントデータの受信タイミングは、移動通信端末２による位置登録の要求のタイミングには限定されない。例えば、移動体通信網ＮＷ内の他の情報記憶装置が、所定の情報量をバッファリングしてから定期的或いは随時にポイントデータ蓄積装置１１に転送してもよい。
【００２３】
滞在日数推定装置１２は、要求情報受信部１２１と、エリア設定部（領域設定手段）１２２と、ポイントデータ取得部（位置情報取得手段）１２３と、移動速度算出部（移動速度算出手段）１２４と、時間計測部（時間計測手段）１２５と、滞在日数推定部（滞在日数推定手段）１２６と、滞在日数格納部１２７と、情報送信部１２８とを備えている。
【００２４】
要求情報受信部１２１は、所定期間の所定エリアにおける移動通信端末２のユーザの滞在日数の計算を要求する要求情報を、情報表示装置４から受信し、この要求情報に応じてポイントデータ取得部１２３によるポイントデータの抽出処理を起動する。ここで、要求情報受信部１２１の受信する要求情報には、滞在日数推定のエリアを“セクタＩＤ”によって指定するための“対象エリア情報”が含まれている。なお、要求情報には、滞在日数推定の対象期間を指定するための“対象期間情報”が含まれていてもよい。対象期間情報においては、何月何日（何時何分）から何月何日（何時何分）までの間を対象とするのかを示す情報（例えば、６月１日（６：００）〜６月３０日（１８：００））を含んでいる。
【００２５】
エリア設定部１２２は、移動通信端末２のユーザの滞在日数を求めるべきエリア（領域）を設定する。エリア設定部１２２は、要求情報受信部１２１から出力された要求情報に含まれる対象エリア情報が示す滞在日数を求めるべきエリアを取得し、そのエリアが妥当であるか否かの判定を行った上で、エリアを設定する。また、エリア設定部１２２は、要求情報に対象期間情報が含まれている場合には、対象期間情報が示す対象期間を取得し、その対象期間が妥当であるか否かの判定を行った上で、対象期間を設定する。エリア設定部１２２は、設定したエリアや対象期間に関するエリア情報をポイントデータ取得部１２３に出力する。要求情報に対象期間情報が含まれていない場合には、任意の予め設定された期間（例えば最近１ヶ月）が対象期間として設定される。なお、エリア設定部１２２によって設定されるエリアは、１つのセクタ或いはセルや、複数のセクタ或いは複数のセル（群）とすることができる。また、エリアは、都道府県、市町村及び予め設定した観光エリア等とすることができる。この場合、その設定されたエリアの情報を基にしてセクタ情報（もしくはセル情報）に変換し、処理に用いる。
【００２６】
ポイントデータ取得部１２３は、要求情報受信部１２１からの起動信号に応じて、ポイントデータ蓄積装置１１のポイントデータ蓄積部１１２からポイントデータを読み出す。そして、ポイントデータ取得部１２３は、読み出された全てのデータの中においてエリア設定部１２２によって設定されたエリア情報から、エリア及び対象期間におけるポイントデータと、そのエリアに位置する前後の時間帯のポイントデータとを抽出する。具体的には、ポイントデータ取得部１２３は、抽出したポイントデータの中から、各ユーザについて位置情報取得時刻が最も早いポイントデータを選択し、その選択したポイントデータの直前のポイントデータをポイントデータ蓄積部１１２から読み出されたデータの中から抽出する。同様に、ポイントデータ取得部１２３は、抽出したポイントデータの中から、各ユーザについて位置情報取得時刻が最も遅いポイントデータを選択し、その選択したポイントデータの直後のポイントデータをポイントデータ蓄積部１１２から読み出されたデータの中から抽出する。ポイントデータ取得部１２３は、上述のようにして抽出したエリア及び対象期間におけるポイントデータと、エリアに位置する前後の時間帯のポイントデータ、つまりユーザ毎の位置情報取得時刻が最も早いポイントデータの直前のポイントデータ及び位置情報取得時刻が最も遅いポイントデータの直後のポイントデータとを、移動速度算出部１２４に出力する。ポイントデータ取得部１２３は、例えば、処理対象のポイントデータの抽出条件を示す対象期間情報及び対象エリア情報が“３／１−３／３”及び“ＸＸＸＸＸ”である場合には、図２に示すポイントデータの中から、まず位置情報取得時刻が対象期間に該当し、かつ、緯度経度情報（座標情報）が対象エリアに該当するポイントデータを全て抽出し、次に、ユーザ毎に位置情報取得時刻が最も早いポイントデータと最も遅いポイントデータを選択する。さらに、この選択されたポイントデータのその直前と直後のポイントデータを全て抽出する。
【００２７】
また、ポイントデータ取得部１２３は、エリア設定部１２２によって設定されたエリアに日常的に所定時間以上滞在する移動通信端以外の位置登録を取得する。具体的には、ポイントデータ取得部１２３は、対象となるエリアにおける移動通信端末２のポイントデータを所定期間（例えば１ヶ月）分だけ取得し、夜間、昼間（日常的）において所定時間以上の存在が確認される場合には、そのエリアが移動通信端末２のユーザの居住地又は勤務地であるして、該当する移動通信端末２のポイントデータを取得しない。これにより、対象となるエリアを日常圏とする移動通信端末２のユーザが除外される。なお、日常圏であるか否かの判断は、移動通信端末２のユーザの居住、勤務位置を統計的に求めるだけでなく、例えばユーザの契約情報や払い宛住所等を用いて行ってもよい。また、移動通信端末２のユーザの居住地から所定距離（例えば、８０ｋｍ）以上離れている場合に、日常圏ではないとして、その移動通信端末２のユーザの位置情報を取得してもよい。
【００２８】
移動速度算出部１２４は、ポイントデータ取得部１２３によって取得されたエリア及び対象期間におけるポイントデータと、ユーザ毎の位置情報取得時刻が最も早いポイントデータの直前のポイントデータ及び位置情報取得時刻が最も遅いポイントデータの直後のポイントデータとに基づいて、移動通信端末２のエリア内における時間推移に対する移動速度を算出する。移動速度算出部１２４は、例えばセクタベース測位によって測位された移動通信端末２のポイントデータにおける座標から、移動通信端末２の移動速度を算出する。なお、移動速度の算出方法としては、任意の時刻の前後の速度の平均値が範囲内にある場合には、その速度の平均値を求める方法や、各人の一日の速度毎の時間の統計をとり（例えば、停止（０ｋｍ／ｈ）：２０時間、歩き（４ｋｍ／ｈ）：計３時間・連続１時間まで、電車（５０ｋｍ／ｈ）：１時間等）、その統計に基づいて推測して求めるといった方法、また、移動通信端末２のユーザが取り得る速度の最大値、中間値及び最小値に基づいて統計をとる方法を用いることができる。移動通信端末２のユーザが取り得る速度の最大値、中間値及び最小値に基づいて統計をとる方法は、セクタＩＤを用いて算出されるものであり、一意に座標（緯度・経度）が決定されない場合において、時間的前後のポイントデータを比較する必要がある場合に用いられる。移動速度算出部１２４は、算出した移動速度を示す速度情報を時間計測部１２５に出力する。
【００２９】
時間計測部１２５は、移動速度算出部１２４によって算出された移動速度が予め設定された所定速度以下である場合に、所定値以下となった時間を計測する。時間計測部１２５は、移動速度算出部１２４から出力された速度情報が示す移動速度が閾値（所定速度）Ｔ１以下であるか否かを判定し、移動速度が閾値Ｔ１以下である場合には、その移動速度のときの時間を計測する。時間計測部１２５は、計測した時間を示す計測時間情報を滞在日数推定部１２６に出力する。
【００３０】
滞在日数推定部１２６は、時間計測部１２５によって計測された時間に基づいて、設定されたエリアにおける移動通信端末２の滞在日数を推定する。滞在日数推定部１２６は、時間計測部１２５から出力された計測時間情報が示す時間（対象時間帯）が閾値（所定時間）Ｔ２以上であるか否かを判定する。そして、滞在日数推定部１２６は、時間が閾値Ｔ２以上である場合に、移動通信端末２が設定されたエリアに滞在していると推定し、その滞在日数をカウントして、設定されたエリアにおける移動通信端末２のユーザの滞在日数を推定する。具体的には、図３に示すように、滞在日数推定部１２６は、例えば閾値Ｔ２が「１０時間」に設定されている場合において、時間計測部１２５から出力された計測時間情報における時間ｔ１，ｔ２が合計で「１２時間」を示している場合には、エリアＡにおいて「ＭＭ／０２」に滞在したと推定し、滞在日数を「１日」と推定する。なお、エリアＡは、複数のセクタが集合して形成されている。なお、図３において、「ＭＭ／０２」等の記載は、例えば「１１／０２（１１月２日）」のように日付を示している。
【００３１】
図４（ａ）には、滞在日数格納部に格納された滞在日数の滞在日数データの構成を示している。図４（ａ）に示すように、滞在日数格納部１２７には、例えばエリアを示す情報“エリアＩＤ：ＸＸＸＸＸＸ０”と、滞在日を示す情報“滞在年月日：ＹＹＹＹ／ＭＭ／ＤＤ”と、滞在日数を示す情報“滞在日数：３”と、滞在したユーザを示す情報“ユーザＩＤ：ａ”とが、互いに対応付けて格納される。また、図４（ｂ）には、滞在日数格納部に格納された統計化された滞在日数の滞在日数データの構成を示している。図４（ｂ）に示すように、滞在日数格納部１２７には、例えばエリアを示す情報“エリアＩＤ：ＸＸＸＸＸＸ０と”と、滞在日を示す情報“滞在年月日：ＹＹＹＹ／ＭＭ／ＤＤ”と、平均滞在日数を示す情報“平均滞在日数：２．３”とが、互いに対応付けて格納される。
【００３２】
また、滞在日数推定部１２６は、算出した全ての移動通信端末２の滞在日数の統計化を行う。滞在日数の統計は、平均日数だけでなく、最短、最長、分散、中間値等といったあらゆる統計が行われてもよい。また、滞在日数の統計は、移動通信端末２のユーザの性別、年齢、発地等によって分類して行われてもよい。
【００３３】
情報送信部１２８は、滞在日数推定部１２６による滞在日数の推定処理が完了したタイミングで、その滞在日数の滞在日数データを、滞在日数格納部１２７から読み出し情報表示装置４に送信する。
【００３４】
以下、図５及び図６を参照して、滞在日数推定システム１の動作について説明するとともに、併せて滞在日数推定装置１２における滞在日数推定方法について詳述する。図５は、滞在日数推定システムの動作を示すシーケンス図、図６は、滞在日数推定装置による滞在日数推定の動作を示すフローチャートである。なお、以下の説明においては、移動通信端末２の位置登録によってポイントデータが取得される場合を示す。
【００３５】
まず、図５を参照して、移動通信端末２から位置登録信号が送信されると（ステップＳ０１）、無線基地局３及び移動体通信網ＮＷを経由して、位置登録信号がポイントデータに変換されてポイントデータ蓄積装置１１に送信される（ステップＳ０２）。このステップＳ０１〜Ｓ０２の処理は、移動通信端末２ごとに所定の位置登録周期で繰り返される。これに対して、送信されたポイントデータがポイントデータ蓄積装置１１のポイントデータ蓄積部１１２に蓄積される（ステップＳ０３）。
【００３６】
その後、情報表示装置４において移動通信端末２のユーザの滞在日数に関する表示要求が受け付けられる（ステップＳ０４）。そうすると、情報表示装置４から滞在日数推定装置１２に対して滞在日数の推定を要求する要求情報が、対象期間情報や対象エリア情報を含んで送信される（ステップＳ０５）。
【００３７】
これに応じて、滞在日数推定装置１２からポイントデータ蓄積装置１１に対してポイントデータの参照要求が送信され（ステップＳ０６）、これによって、ポイントデータ蓄積装置１１から滞在日数推定装置１２にポイントデータが渡される（ステップＳ０７）。次に、滞在日数推定装置１２によって、読み出されたポイントデータを対象に対象期間情報の示す期間における対象エリア内における移動通信端末２の滞在日数が推定される（ステップＳ０８）。そして、滞在日数推定装置１２から情報表示装置４に滞在日数の滞在日数データが送信されて（ステップＳ０９）、情報表示装置４においてグラフ形式等の所定の出力形式で表示される（ステップＳ１０）。
【００３８】
次に、図６に移って、滞在日数推定装置１２による滞在日数の推定処理の詳細について説明する。
【００３９】
まず、滞在日数推定装置１２の要求情報受信部１２１は、情報表示装置４から要求情報を受信する（ステップＳ１０１）。それに応じて、滞在日数推定装置１２のエリア設定部１２２は、要求情報に含まれる対象期間情報及び対象エリア情報の妥当性を判断する（ステップＳ１０２）。その判断の結果、要求情報のなかに存在しない“セクタＩＤ”等の不当な情報が含まれる場合には（ステップＳ１０２；ＮＯ）、情報表示装置４に対してエラーを送信し（ステップＳ１０３）、滞在日数の推定処理を終了する。
【００４０】
これに対して、要求情報に含まれる条件情報が妥当な場合には（ステップＳ１０２；ＹＥＳ）、滞在日数を推定するエリア及び期間を設定し（領域設定ステップ）、滞在日数推定装置１２のポイントデータ取得部１２３は、ポイントデータ蓄積装置１１からポイントデータを読み込んだ後に、そのポイントデータの中から要求情報に含まれる条件情報に対応するデータを取得する（ステップＳ１０４、位置情報取得ステップ）。このとき、ポイントデータ取得部１２３は、設定されたエリアに位置する前後の時間帯に取得されたポイントデータも取得する。その後、滞在日数推定装置１２の移動速度算出部１２４は、抽出したポイントデータに基づいて、移動通信端末２のエリア内における移動速度を算出する（ステップＳ１０５、移動速度算出ステップ）。
【００４１】
続いて、滞在日数推定装置１２の時間計測部１２５は、移動通信端末２が設定されたエリアの移動速度が閾値Ｔ１以下であるか否かを判定し、移動速度が閾値Ｔ１以下である場合に、その時間を計測する（ステップＳ１０６、時間計測ステップ）。そして、滞在日数推定装置１２の滞在日数推定部１２６は、時間計測部１２５によって計測された時間が閾値Ｔ２以上であるか否かを判定し、時間が閾値Ｔ２以上である場合に、移動通信端末２がエリアに滞在していると推定し、その滞在日数を推定する（ステップＳ１０７、滞在日数推定ステップ）。そして、滞在日数推定部１２６は、全ての移動通信端末２のユーザの滞在日数の統計化を行う（ステップＳ１０８）。
【００４２】
そして、滞在日数推定装置１２の情報送信部１２８は、統計化された滞在日数データを情報表示装置４に送信する（ステップＳ１０９）。
【００４３】
以上説明したように、滞在日数推定装置１２では、エリア設定部１２２にて設定されたエリアにおけるポイントデータからそのエリアを日常圏とする移動通信端末２以外のポイントデータを取得し、対象となる移動通信端末２のエリア内における移動速度を移動速度算出部１２４が算出する。そして、移動速度が閾値（所定速度）Ｔ１以下である時間を時間計測部１２５によって計測し、その時間が閾値（所定時間）Ｔ２以上である場合に、設定されたエリアにおいて移動通信端末２のユーザが滞在していると推定して滞在日数を滞在日数推定部１２６が推定する。このように、設定されたエリアを日常圏とする移動通信端末２以外の位置情報を取得することで、設定されたエリアに訪れた観光客を特定することができる。また、移動速度を計測し、閾値Ｔ１以下である場合の時間を計測することで移動通信端末２の設定されたエリアにおける滞在時間（状態）を把握でき、その時間から滞在日数を推定するため、滞在日数を精度よく推定することができる。このように、近年多くの人が所有する移動通信端末２の位置情報を取得することにより、宿泊施設等へのアンケートを実施することなく、観光客等の滞在日数を容易に且つ精度よく推定することができる。
【００４４】
また、ポイントデータ取得部１２３は、設定されたエリアに昼間又は夜間に所定時間以上滞在する移動通信端末２以外のポイントデータを取得する。この場合には、設定されたエリアが観光地である場合に、昼間、夜間の時間帯に多く位置するユーザ、すなわちその領域に居住する人、或いは職場がある人のポイントデータを適切に除外することができる。そのため、観光地に訪れた観光客の滞在日数を推定することができる。これにより、観光地の滞在日数による経済効果への影響等の検討が可能となると共に、観光地における観光客の宿泊数を網羅的に把握することができる。
【００４５】
本発明は、上記実施形態に限定されるものではない。例えば、上記実施形態では、移動通信端末２の位置登録の測位方式をセクタベース測位としているが、移動通信端末２の位置登録の測位方式は、例えばセルベース測位、ＰＲＡＣＨ−ＰＤ測位等であってもよい。
【００４６】
また、上記実施形態に加えて、滞在日数推定部１２６は、時間計測部１２５によって計測された時間が日にちを跨ぎ（夜間であり）且つ所定時間以上である場合に、移動通信端末２のユーザが設定されたエリアに滞在していると推定してもよい。
【符号の説明】
【００４７】
１…滞在日数推定システム、２…移動通信端末、１２…滞在日数推定装置、１２２…エリア設定部（領域設定手段）、１２３…ポイントデータ取得部（位置情報取得手段）１２４…移動速度算出部（移動速度算出手段）、１２５…時間計測部（時間計測手段）、１２６…滞在日数推定部（滞在日数推定手段）。
【図１】
2012043011.tif 000003
【図２】
2012043011.tif 000004
【図３】
2012043011.tif 000005
【図４】
2012043011.tif 000006
【図５】
2012043011.tif 000007
【図６】
2012043011.tif 000008